(57)【要約】【課題】ウエイトが少なくて良く、手の挟まない良好な操作性を実現し、狭い部屋で撮影でき、移動が簡単で組立が容易で、簡単に設置でき、カメラ操作もできる撮影用クレーン装置を提供すること。【解決手段】本発明によればカメラの水平を保つためのジブ（ブーム）がメインジブの中にサブジブの機構が内蔵されてカメラの水平を維持できる機構を搭載し、手を挟まない構造が提供される。ジブを支える支点部分の位置が移動でき、支点との距離が変化する構造が提供される。また、バッテリーをジブのウエイト側に付けることによりカメラ側の重量を軽くすると同時に、バッテリーを装着する機構を提供される。カメラのジブにフォーカス位置調整部とズーム位置調整部とアイリス位置調整部と録画ボタンの何れか１つ以上を備えるリモコン部が提供される。【選択図】    図１
2018013588.tif 000002
【特許請求の範囲】
【請求項１】
カメラの水平を保つためジブを備える撮影用クレーン装置であって、
前記ジブは、メインジブとサブジブを含み、
前記メインジブの中に前記サブジブが内蔵されているか、又は前記メインジブと前記サブジブの間の隙間が外部に露出しないように構成されている、撮影用クレーン装置。
【請求項２】
前記ジブは、前記ジブをジブ支点取付部に取り付けるためのシャフト部を２つ以上備える、請求項１記載の撮影用クレーン装置。
【請求項３】
前記ジブにカメラ用バッテリーが装着できるように構成される、請求項１もしくは請求項２記載の撮影用クレーン装置。
【請求項４】
前記ジブに設けられ且つカメラマンからの電源ＯＮ／ＯＦＦ信号に従って制御される電源ＯＮ／ＯＦＦスイッチ及び電源装置を備える、請求項１〜請求項３の何れか１つに記載の撮影用クレーン装置。
【請求項５】
前記カメラのリモコン端子を前記ジブにケーブルにより接続し、前記ジブに録画ボタンを備える、請求項１〜請求項４の何れか１つに記載の撮影用クレーン装置。
【請求項６】
前記カメラのリモコン端子を前記ジブにケーブルにより接続し、前記ジブにレンズのフォーカス位置、ズーム位置及び絞り位置を少なくとも１つを制御するための制御部を備える、請求項１〜請求項５の何れか１つに記載の撮影用クレーン装置。
【請求項７】
前記カメラと同じように水平を保つシャフトがモニター及びリモコンを装着可能に構成される、請求項１〜請求項６の何れか１つに記載の撮影用クレーン装置。
【請求項８】
前記ジブにタリー表示機能を有する、請求項１〜請求項７の何れか１つに記載の撮影用クレーン装置。
【発明の詳細な説明】
【技術分野】
【０００１】
本発明は、特に、撮影者を中心とした狭い室内や小規模の撮影で、一定範囲内における上下左右の移動撮影を行う場合等に用いて好適な、撮影用クレーン装置に関する。
【背景技術】
【０００２】
従来の撮影用クレーン装置は、旋回と上下運動をなすジブの先端にカメラを備え付ける形式なので、ジブと補助ジブが存在し、上下に撮影用クレーンを動かした際にカメラが地面に対して平行に動いて水平を保つことができる。また、ジブの後方に大掛かりなバランスウエイトを装着する。カメラマンは撮影用クレーンに装着されたカメラのすぐ脇に立って操作する場合と、ジブの後方ウエイト側から操作する場合がある。
【０００３】
現在、市販されている撮影用レーンにおいてはジブと補助ジブによりカメラ雲台を水平に保つことが可能である。
【発明の概要】
【発明が解決しようとする課題】
【０００４】
ところで、撮影者を中心として機材の移動、セッティングに小規模の撮影用クレーン装置でも数名の人員が必要である。特にウエイトが重く、小型カメラを搭載する場合もカメラの反対側にウエイトを装着し、ウエイトだけでも２０ｋｇ〜３０ｋｇ搭載する。また、撮影用クレーン装置の小型のものは、カメラを水平に保つため、ジブと補助ジブで２本ある。そのジブは、上下に動かすことにより２本のジブの間隔が地面に対して平行の時が一番広く、上下にジブを動かした際に狭くなるため、手を挟む危険性がある。搭載されたカメラの操作を行う場合、カメラ本体直接又はカメラに接続されたリモコンを装着して行うのが現状であり、近年の撮影スタイルでは放送用のスタジオカメラとしてシステムが考えられたカメラと違うカメラ、例えば一眼レフで動画を撮影するカメラや、映画用デジタルカメラなど、またそのカメラはタリー表示ができないカメラが大半である。
【０００５】
ところが、たとえば、機材撮影スタッフが機材を移動しようとすると、三脚部、ジブ部、ウエイト部、雲台部、カメラを個々に外して移動する。
【０００６】
撮影用クレーン装置のカメラの横に立ち、ビューファインダーを覗きながら撮影して、現状ジブに手を掛けてクレーンを動かす。上下に動かした際にジブが２本あるため上下に移動した際に手を挟む危険性がある。
【０００７】
さらに、撮影用クレーン装置のウエイト側で撮影用クレーン装置を操作した場合、別体のカメラリモコンが必要となり。装備が大掛かりになってしまう。
【０００８】
撮影用クレーン装置を使用してスイッチャーを利用した複数台のカメラ撮影の場合、どのカメラが選択されたかをカメラマンや、出演者に知らせるタリーランプが存在しないカメラがある。
【０００９】
本発明は上記事情に鑑みてなされたものであって、たとえば、撮影者を中心に少人数でセッティングができ、撮影者自身がカメラビューファインダーを覗いたまま旋回・揺動させても撮影用クレーン装置のジブのどの部分を触って操作しても手を挟む心配がなく、しかもジブ本体にカメラ操作機能が設けてあるため別体のリモコンをもっていかなくてもよい、撮影用クレーン装置を提供することを目的としている。
【課題を解決するための手段】
【００１０】
本発明は上記目的を達成するためになされたもので、撮影用クレーン装置であって、カメラの水平を保つためのジブ（ブーム）がメインジブの中にサブジブの機構が内蔵されているか、又は前記メインジブと前記サブジブの間の隙間が外部に露出しないように構成されているので、カメラの水平を維持できる機構により、外観が１本になるジブが提供される。
【００１１】
本発明によれば、前記ジブは、前記ジブをジブ支点取付部に取り付けるためのシャフト部を２つ以上備える。この場合、ジブを支える支点部分の位置が２カ所以上存在し、カメラの重量に応じて組立時にジブの支点を移動することにより、ジブのバランス位置を変更できることが提供される。
【００１２】
本発明によれば、撮影用クレーン装置のジブの後方ウエイト側にビデオカメラ用バッテリーが装着でき、本来、カメラに装着したままのバッテリーをジブのウエイト側にバッテリーを装着することにより本来のバランスウエイトが少なくて済む。
【００１３】
本発明によれば、カメラとジブとを電源供給用のケーブルを設け、ジブの本体にカメラマンからの電源ＯＮ／ＯＦＦ信号に従ってカメラの電源を制御されるスイッチを備えた撮影用クレーンが提供される。
【００１４】
本発明によれば、撮影用クレーン装置に装着されたカメラのリモコン端子をジブ本体にコネクタを設けて接続し、ジブにズームリモコン、アイリスリモコン、フォーカスリモコン及び、録画ボタンの何れか１つ以上を  を備える撮影用クレーン装置が提供される。
【００１５】
このように本発明者はジブの使用にあたり、狭い部屋での撮影が多く、大きな上下運動を必要としない撮影用クレーン撮影が多いことに気づいた。例えば２ｍ〜３ｍといった狭い範囲で使用される場合が非常に多いことに気づいた。
【００１６】
そしてこのクレーンを使用すれば撮影のセッティングを１人でも実現でき、支点の位置をずらすことができるため、支点をカメラと遠くに支点を設置した場合は、ジブのスイングが大きくなり上下の撮影範囲が大きくなり、カメラに近づけた支点でセッティングした場合はスイング幅が小さくなるが、少ないウエイトで済むという利点を見いだし本発明の完成に至った。
【発明の効果】
【００１７】
以上の説明で明らかなように、本発明によれば、メインジブの本体内部にサブジブが内蔵されているか、又は前記メインジブと前記サブジブの間の隙間が外部に露出しないように構成されているため、ビューファインダーに集中しているカメラマンがメインジブとサブジブの間に手を挟む心配がない。サブジブを操作する際はカメラのビューファインダーを覗いているので、サブジブが露出していると危険がともなっていたがその心配がなくなる。また、カメラに直接取付けるバッテリーをジブの支点の反対側に装着することにより、ジブに装着するウエイトを小さくすることができる。録画ボタン、フォーカス、ズーム、アイリスをジブの本体に内蔵することにより、カメラマンがウエイトの近くで操作する場合に別にリモコンを用意する必要がなく、大変便利である。タリー入力をジブですることにより、カメラ雲台の近くと、ウエイトの近くでタリーが点灯するので視認性がよく大変便利である。カメラにタリー点灯機能がないカメラに非常に有効である。モニターをカメラ同様、ジブの高さが変わっても平行移動するため、ウエイト側でカメラマンがジブを操作した場合にモニターが見やすいのが特徴である。このモニター台にカメラのリモコンを装着することによりジブの上げ下げをウエイト棒でするより、はるかに操作しやすい。
【図面の簡単な説明】
【００１８】
【図１】本発明の一実施例の図である。より詳しくは、図１は本発明に係る本実施例のクレーン装置の全体を示している。ジブの支点が真ん中の図である。点線の部分は機構の透写図である。
【図２】本発明の一実施例の図で、図１の支点を変更した図である。より詳しくは、図２は本発明に係る本実施例のクレーン装置の全体を示し、ジブの支点が後方の図である。点線の部分は機構の透写図である。
【図３】本発明のジブを下げた状態の図である。より詳しくは、図３は本発明に係る本実施例のクレーン装置の全体を示し、ジブの支点が後方の図でカメラ位置を下げた時の図である。点線の部分は機構の透写図である。
【図４】本発明の一実施例でモニター取付け台を装着した状態の図である。より詳しくは、図４は本発明に係る本実施例のクレーン装置の全体を示し、ジブの支点が真ん中で、後方の支点となる部分にモニターを装着した時状態の図である。
【図５】本発明の一実施例で内部の機構が図１のジブとサブジブの上下が逆の機構。より詳しくは、図５は本発明に係る本実施例のクレーン装置の全体を示し、ジブと補助ジブが上にある場合の図である。
【図６】一般市販のジブアームの参考写真である。つまり、現在市販されている一般的な形状の撮影用クレーンの参考写真である。
【発明を実施するための形態】
【００１９】
以下に本発明の実施の形態を添付の図面に基づいて説明する。図１示すＡＡジブ（メインジブ）に１０７三脚部から１０６ジブ支点取付部が構成され、Ｃシャフト部支点と１２１ジブ補助ジブ取付けアームが常備固定され、（つまり三脚の１０６ジブ支点取付部を装着したＣシャフト部又はＥシャフト部等はたえず固定されている）Ｂ補助ジブ取付け稼働部１とＤ補助ジブ取付け稼働部２とＦ補助ジブ取付け稼働部３がジブを上下（カメラを上下）した際に１０１補助ジブアーム（サブジブ）と１１１補助ジブアーム２（サブジブ）がＡＡジブと平行に動くためＡシャフト部１とＣシャフト部２とＥシャフト部３はＡＡジブが上下に動かしても水平がいつも維持されている。１０２雲台取付台に１０３ビデオ雲台を取付け、ＢＢビデオカメラを取付ける。ＢＢカメラと接続された１０８ジブカメラ接続ケーブルは１０９ジブカメラ接続コネクタと接続し、１０４バッテリーからＢＢカメラへの電源供給及びカメラレンズリモートを１１０電源／信号線を通してＢＢカメラの１１３ズームボリウム１１４フォーカスボリウム１１５アイリスボリウムでＢＢカメラの制御をする。同じく１１２録画ボタンはＢＢカメラの録画を実現する。１１６タリー信号／カメラＣＣＵ入力コネクタから入力されたタリー信号をＡＡジブの後方１１７タリー点灯部とジブＡＡ前方に１１８タリー点灯部が設けられている。図１の点線で示した部分はジブの内部の様子である。
【００２０】
図２は撮影用クレーン装置の全体を示し、ジブの支点が後方、Ｅシャフトの図である。この場合、後方に付けるウエイトが重くなるが、スイング範囲が広くなるため、上下の高低差が大きくとれる利点がある。
【００２１】
図３にＡＡジブが下に下がったときの状態を示す。図１をＡＡジブをそのまま下げた場合は１２０ジブ補助ジブ取付アーム、１２１ジブ補助ジブ取付アーム、１２２ジブ補助ジブ取付アーム３に固定された１０１補助ジブアームと１０９補助ジブアーム２がＡＡ時部と平行に移動する。その際１０２雲台取付け台は地面と平行のままジブの高さが変化する。点線で示した部分はジブの内部の様子である。
【００２２】
ジブに内蔵された補助ジブの位置は図１の１０１補助ジブアーム１と１０９補助ジブアーム２の形態でもよいし、図４の１０１補助ジブアーム１と１０９補助ジブアーム２形態でもよいまた図４の場合は固いシャフトでも良いしワイヤーを利用してもよい。
【００２３】
図４は実際にＡＡ  ジブの外観からでは１０１補助ジブアーム１と１１１補助ジブアーム２が見えない。また、支点とカメラ雲台を載せる１０２雲台取付け台を除くもうひとつのジブ支点取付部にＺＺモニター取付け台を装着し１１９液晶モニターを装着することができる。ＺＺ液晶取付け台もカメラ同様平行に動くことができる。
【００２４】
図５はジブと補助ジブが上にある場合の図である。図１と機構が上下逆であるが図１と同じ効果がえられる。
【００２５】
なお、図６に示すような従来の構成において、メインジブとサブジブの間の隙間が外部に露出しないように、例えば、メインジブとサブジブの間の隙間を覆うカバーを装着してもよい。
【符号の説明】
【００２６】
ＡＡジブ（メインジブ）
ＢＢビデオカメラ
Ａシャフト部１
Ｂ補助ジブ取付可動部１
Ｃシャフト部２
Ｄ補助ジブ取付可動部２
Ｅシャフト部３
Ｆ補助ジブ取付可動部３
１０１補助ジブアーム（サブジブ）
１０２雲台取付台
１０３ビデオ雲台
１０４バッテリー 
１０５ウエイト
１０６ジブ支点取付部
１０７三脚部
１０８ジブカメラ接続ケーブル
１０９ジブカメラ接続コネクタ
１１０電源／信号線
１１１補助ジブアーム２（サブジブ）
１１２レックボタン
１１３ズームボリウム
１１４フォーカスボリウム
１１５アイリスボリウム
１１６タリー信号／カメラＣＣＵ入力コネク
１１７タリー点灯部
１１８タリー点灯部
１１９モニター
１２０ジブ補助ジブ取付アーム１
１２１ジブ補助ジブ取付アーム２
１２３ジブ補助ジブ取付アーム３
【図１】
2018013588.tif 000003
【図２】
2018013588.tif 000004
【図３】
2018013588.tif 000005
【図４】
2018013588.tif 000006
【図５】
2018013588.tif 000007
【図６】
2018013588.tif 000008
【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
カメラの水平を保つためジブを備える撮影用クレーン装置であって、
前記ジブは、メインジブとサブジブを含み、
前記メインジブの中に前記サブジブが内蔵されているか、又は前記メインジブと前記サブジブの間の隙間が外部に露出しないように構成されており、
前記メインジブは、第１及び第２シャフト部を備え、
前記メインジブを支持するジブ支点取付部は、第１シャフト部を介して前記メインジブに固定され、
前記カメラは、第２シャフト部を介して前記メインジブに固定され、
第１シャフト部には、第１サブジブ取付アームが固定され、
第２シャフト部には、第２サブジブ取付アームが固定され、
前記サブジブは、第１サブジブ取付可動部を介して第１サブジブ取付アームに固定され、且つ第２サブジブ取付可動部を介して第２サブジブ取付アームが固定され、
第１及び第２サブジブ取付アームに対する前記サブジブの角度が変化することによって前記カメラが水平を維持したまま上下に移動可能に構成されている、撮影用クレーン装置。
【請求項２】
第１及び第２シャフト部を結ぶ直線が前記サブジブに平行になるように構成されている、請求項１記載の撮影用クレーン装置。
【請求項３】
前記ジブにカメラ用バッテリーが装着できるように構成される、請求項１もしくは請求項２記載の撮影用クレーン装置。
【請求項４】
前記ジブに設けられ且つカメラマンからの電源ＯＮ／ＯＦＦ信号に従って制御される電源ＯＮ／ＯＦＦスイッチ及び電源装置を備える、請求項１〜請求項３の何れか１つに記載の撮影用クレーン装置。
【請求項５】
前記カメラのリモコン端子を前記ジブにケーブルにより接続し、前記ジブに録画ボタンを備える、請求項１〜請求項４の何れか１つに記載の撮影用クレーン装置。
【請求項６】
前記カメラのリモコン端子を前記ジブにケーブルにより接続し、前記ジブにレンズのフォーカス位置、ズーム位置及び絞り位置を少なくとも１つを制御するための制御部を備える、請求項１〜請求項５の何れか１つに記載の撮影用クレーン装置。
【請求項７】
前記カメラと同じように水平を保つシャフトがモニター及びリモコンを装着可能に構成される、請求項１〜請求項６の何れか１つに記載の撮影用クレーン装置。
【請求項８】
前記ジブにタリー表示機能を有する、請求項１〜請求項７の何れか１つに記載の撮影用クレーン装置。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
カメラの水平を保つためジブと、前記ジブを支持するジブ支点取付部を備える撮影用クレーン装置であって、
前記ジブは、メインジブとサブジブを含み、
前記メインジブの中に前記サブジブが内蔵されているか、又は前記メインジブと前記サブジブの間の隙間が外部に露出しないように構成されており、
第１及び第２シャフト部と、第１及び第２サブジブ取付アームと、第１及び第２サブジブ取付可動部を備え、
第１サブジブ取付アームは、第１シャフト部と第１サブジブ取付可動部の間に設けられ、
第２サブジブ取付アームは、第２シャフト部と第２サブジブ取付可動部の間に設けられ、
第１シャフト部と第１サブジブ取付可動部の間の距離は、第２シャフト部と第２サブジブ取付可動部の間の距離と同じであり、
前記メインジブは、第１シャフト部において、第１サブジブ取付アームに相対回転可能に連結され、
前記メインジブは、第２シャフト部において、第２サブジブ取付アームに相対回転可能に連結され、
前記サブジブは、第１サブジブ取付可動部において、第１サブジブ取付アームに相対回転可能に連結され、
前記サブジブは、第２サブジブ取付可動部において、第２サブジブ取付アームに相対回転可能に連結され、
前記ジブ支点取付部は、第１及び第２サブジブ取付アームに対する前記サブジブの角度を変化させたときに第１サブジブ取付アームが不動になるように、第１シャフト部を介して前記メインジブに取り付けられ、
前記カメラは、第２サブジブ取付アームに対して不動になるように、第２シャフト部を介して前記メインジブに取り付けられ、
第１及び第２サブジブ取付アームは、第１及び第２サブジブ取付アームに対する前記サブジブの角度を変化させたときに平行を維持するように構成され、
第１及び第２サブジブ取付アームに対する前記サブジブの角度が変化することによって前記カメラが水平を維持したまま上下に移動可能に構成されている、撮影用クレーン装置。
【請求項２】
第１及び第２シャフト部を結ぶ直線が前記サブジブに平行になるように構成されている、請求項１記載の撮影用クレーン装置。
【請求項３】
前記ジブにカメラ用バッテリーが装着できるように構成される、請求項１もしくは請求項２記載の撮影用クレーン装置。
【請求項４】
前記ジブに設けられ且つカメラマンからの電源ＯＮ／ＯＦＦ信号に従って制御される電源ＯＮ／ＯＦＦスイッチ及び電源装置を備える、請求項１〜請求項３の何れか１つに記載の撮影用クレーン装置。
【請求項５】
前記カメラのリモコン端子を前記ジブにケーブルにより接続し、前記ジブに録画ボタンを備える、請求項１〜請求項４の何れか１つに記載の撮影用クレーン装置。
【請求項６】
前記カメラのリモコン端子を前記ジブにケーブルにより接続し、前記ジブにレンズのフォーカス位置、ズーム位置及び絞り位置を少なくとも１つを制御するための制御部を備える、請求項１〜請求項５の何れか１つに記載の撮影用クレーン装置。
【請求項７】
前記カメラと同じように水平を保つシャフトがモニター及びリモコンを装着可能に構成される、請求項１〜請求項６の何れか１つに記載の撮影用クレーン装置。
【請求項８】
前記ジブにタリー表示機能を有する、請求項１〜請求項７の何れか１つに記載の撮影用クレーン装置。